(57)【要約】      （修正有）【課題】本体内部に折刃等の収納スペースを設け、本体表面に危険物である旨の文字の表現ができる様にする。【解決手段】本体内部に折刃ばかりではなく、それ以外の小物危険物をも収納できるスペースを設け、本体の表面に危険物である旨の文字が表現できる様にされている。これによって危険物の廃棄時に個々が行ってきた煩わしい作業を省くこととともに、不法投棄を防止することができる。【選択図】図１
0003115217.tif 000002
【実用新案登録請求の範囲】
【請求項１】
危険物の廃棄時に当該物に危険である旨を表示したものを、つける煩わしい作業を省くことができる折刃ケース
【請求項２】
折刃以外の小物危険物をも収納できるケース
【請求項３】
危険物と表現されているものが添付されている折刃ケース
【考案の詳細な説明】
【技術分野】
【０００１】  本考案は危険と表示のある多目的折刃ケースに関する。【０００２】  近来折刃のような危険物を廃棄するさいに、当該物を厚紙等で包み、危険刃物類等と表示したものを貼付、所定のごみ置場等に出すように……条例により義務付られている。【０００３】  折刃以外の比較的小さな危険物、例えば不用になった針類、曲がった画鋲等身近に多く存在する、これ等は一般焼却屑内に混入してしまう事が多い。【０００４】  〔旧実開〕４５−２９１９９
〔旧実開〕６０−１５１８０３
〔考案の開示〕
〔考案が解決しようとする課題〕【０００５】  危険‥‥の煩わしい作業を省く事を目的とするものである。【０００６】  折刃以外の比較的小さな危険物、例えば不用になった針類、曲がった画鋲等迄も収納できる事を目的とするものである。
〔課題を解決するための手段〕【０００７】  本考案は１に２キケン折刃ケース（商願２００５−９３２８）の文字が、はっきりと認識できる大きさに表示されている。【０００８】８を‥‥のため極力広くした。
〔考案の効果〕【０００９】  以下、本考案の実施の形態を図１〜図６に基づいて説明する。【００１０】図においては、１は本体で、キケン‥‥２の文字が表示されている。
１の内部６は、折刃または、‥‥の収納スペースになっている。【００１１】３は、折刃スリットで、折刃クリップ７が装着され折刃を挟む役目をする。【００１２】４は、挿入口８を開閉できる蓋体で１に固着されている。
４の一部であるフック５は４を閉じることで、開き止めとなり、６を密閉させる。
〔産業上の利用可能性〕【００１３】  上述したように本考案は、危険‥‥の煩わしい作業を省くことができる事と折刃以外のもの迄も収納できる安全なケースであることから‥‥広範囲に提供できるものである。【００１４】  当該物を所持していることで、当座の吸い殻‥‥火災、不法投棄の防止につながる。
【図面の簡単な説明】
【００１５】
【図１】本考案の第一実施例を示す正面図
【図２】部分断面のある下面図
【図３】部分断面のある背面図
【図４】左側面図
【図５】右側面図
【図６】８近辺の斜視図（拡大図）
【図７】第二実施例を示す
【図８】第二実施例を示す
【図９】第二実施例を示す
【図１０】第二実施例を示す
【図１１】第二実施例を示す
【図１２】第三実施例を示す
【図１３】第三実施例を示す
【図１４】第四実施例を示す
【図１５】第四実施例を示す
【図１６】第五実施例を示す
【符号の説明】
【００１６】  １  本体
２  （キケン折刃ケース）であることの表示文字
３  刃折スリット
４  蓋体
５  フック
６  収納スペース
７  折刃クリップ
８  挿入口
９  内部刃折スリット
１０  （キケン‥‥）の表示文字のない本体
１１  （キケン‥‥）の表示文字をつけるスペース
１２  別体の（キケン‥‥）の表示物で１０につけるもの。
１３  一部表示文字のある本体
１４  危険‥‥の表示物をつけるスペース
１５  別体の（危険‥‥）の表示物で１３につけるもの。
１６  表示文字の一部を隠蔽するもの
【図１】
0003115217.tif 000003
【図２】
0003115217.tif 000004
【図３】
0003115217.tif 000005
【図４】
0003115217.tif 000006
【図５】
0003115217.tif 000007
【図６】
0003115217.tif 000008
【図７】
0003115217.tif 000009
【図８】
0003115217.tif 000010
【図９】
0003115217.tif 000011
【図１０】
0003115217.tif 000012
【図１１】
0003115217.tif 000013
【図１２】
0003115217.tif 000014
【図１３】
0003115217.tif 000015
【図１４】
0003115217.tif 000016
【図１５】
0003115217.tif 000017
【図１６】
0003115217.tif 000018
【手続補正書】
【提出日】平成17年7月6日(2005.7.6)
【手続補正１】
【補正対象書類名】実用新案登録請求の範囲
【補正対象項目名】全文
【補正方法】変更
【補正の内容】
【実用新案登録請求の範囲】
【請求項１】
折刃ケースにおいて、折刃及びそれ以外の小物危険物をも収納できる収納スペースを設けると共に本体表面に危険物である旨の文字の表示部を設け、かつ本体の一部に替刃を折る機能を有する刃折部を設けたことを特徴とする折刃ケース。
【手続補正２】
【補正対象書類名】明細書
【補正対象項目名】全文
【補正方法】変更
【補正の内容】
〔書類名〕    明細書
〔考案の名称〕  危険と表示のある折刃ケース
〔技術分野〕
〔０００１〕
本考案は、危険と表示のある多目的折刃ケースに関する。
〔０００２〕
近来折刃のような危険物を廃棄するさいに、当該物を厚紙等で包み、危険刃物類等と表示したものを貼付、所定のごみ置場等に出すように、条例により義務付られている。
〔０００３〕
折刃以外の比較的小さな危険物、例えば不用になった針類、曲がった画鋲等身近に多く存在するが、これ等は一般焼却屑内に混入してしまう事が多い。
〔０００４〕
〔旧実開〕４５−２９１９９
〔旧実開〕６０−１５１８０３
〔考案の開示〕
〔考案が解決しようとする課題〕
〔０００５〕
危険物類と表示したものを貼付ける、煩わしい作業を省くものである。
〔０００６〕
折刃以外の比較的小さな危険物、例えば不用になった針類、曲がった画鋲等迄も収納できる事を目的とするものである。
〔課題を解決するための手段〕
〔０００７〕
本考案は、１に２「キケン折刃ケース」（商願２００５−９３２８）の文字が、はっきりと認識できる大きさに表示されている。
〔０００８〕
８は折刃以外の小物危険物をも入れ易いように極力広くした。
〔考案の効果〕
〔０００９〕
以下、本考案の実施の形態を図１〜図６に基ついて説明する。
〔００１０〕
図においては、１は本体で、危険物である２の文字が表示されている。
１の内部６は、折刃または小物危険物等の収納スペースになっている。
〔００１１〕
３は、折刃スリットで、折刃クリップ７が装着され折刃を挟む役目をする。
〔００１２〕
４は、挿入口８を開閉できる蓋体で１に固着されている。
４の一部であるフック５は４を閉じることで、開き止めとなり、６を密閉させる。
〔産業上の利用可能性〕
〔００１３〕
上述したように本考案は、危険と表示したものを貼付る煩わしい作業を省くことができる事と折刃以外のもの迄も収納できる安全なケースであることから、家庭、学校、職場と広範囲に提供できるものである。
〔００１４〕
当該物を所持していることで、当座の吸い殻入れとしても利用でき、火災予防と、かつ不法投棄の防止につながる。
〔図面の簡単な説明〕
〔００１５〕
〔図１〕
本考案の第一実施例を示す正面図
〔図２〕
部分断面のある下面図
〔図３〕
部分断面のある背面図
〔図４〕
左側面図
〔図５〕
右側面図
〔図６〕
８近辺の斜視図（拡大図）
〔図７〕
第二実施例を示す
〔図８〕
第二実施例を示す
〔図９〕
第二実施例を示す
〔図１０〕
第二実施例を示す
〔図１１〕
第二実施例を示す
〔図１２〕
第三実施例を示す
〔図１３〕
第三実施例を示す
〔図１４〕
第四実施例を示す
〔図１５〕
第四実施例を示す
〔図１６〕
第五実施例を示す
〔符号の説明〕
〔００１６〕
１  本体
２  表示スペース
３  刃折スリット
４  蓋体
５  フック
６  収納スペース
７  折刃クリップ
８  挿入口
９  内部刃折スリット
１０  キケン折刃ケースに表示文字のない本体の参考例
１１  キケン折刃ケースの表示をつけるスペース
１２  別体のキケン折刃ケースの表示物で１０につける
１３  一部表示文字のある本体の参考例
１４  危険の表示物をつけるスペース
１５  別体の危険の表示物で１４につける
１６  剥離自在な隠蔽物